(57)【要約】【課題】可動フードを備えるレンジフードにおいて、薄型で捕集性能が良く、結露水の露垂れを防ぐことを目的とする。【解決手段】排気のためのファンを収めたファンユニット部の下部に設けられた固定フードと、この固定フードに収納及び引き出し可能な可動フードと、前記固定フード及び可動フードの下部に前記固定フード及び可動フードと吸込口を形成する整流板と、前記固定フード及び可動フードの側方に設けられた可動機構と、を有するレンジフードにおいて、前記ファンユニット部の内部又は外部に、空気を吹き出す送風機と、前記固定フードの後方の縁部に設けられ前記送風機と連通する後方箱体と、この後方箱体と連通し前記固定フード側方の可動機構を収める固定フード側方箱体と、この固定フード側方箱体の下部に設けられ前記送風機から吹き出した空気流を吹き出す吹出口と、を設けた。【選択図】図３
2007192483.tif 000002
【特許請求の範囲】
【請求項１】
排気のためのファンを収めたファンユニット部の下部に設けられた固定フードと、この固定フードに収納及び引き出し可能な可動フードと、前記固定フード及び可動フードの下部に前記固定フード及び可動フードと吸込口を形成する整流板と、前記固定フード及び可動フードの側方に設けられた可動機構と、を有するレンジフードにおいて、
前記ファンユニット部の内部又は外部に、空気を吹き出す送風機と、前記固定フードの後方の縁部に設けられ前記送風機と連通する後方箱体と、この後方箱体と連通し前記固定フード側方の可動機構を収める固定フード側方箱体と、この固定フード側方箱体の下部に設けられ前記送風機から吹き出した空気流を吹き出す吹出口と、を設けたレンジフード。
【請求項２】
請求項１記載のレンジフードにおいて、前記後方箱体の内部に電気部品と空気流路とを隔てる仕切部材を設けたことを特徴とするレンジフード。
【請求項３】
請求項１記載のレンジフードにおいて、前記可動フードの側方に設けられ前記固定フード側方箱体とを連通して前記可動機構を連結する可動フード側方箱体と、この可動フード側方箱体下部設けられ前記送風機から吹き出した空気流を吹き出す吹出口と、を設けたレンジフード。
【請求項４】
請求項３記載のレンジフードにおいて、前記可動フード前方に前記可動フード側方箱体と連通する前方箱体と、この前方箱体の下部に設けられ前記送風機から吹き出した空気流を吹き出す吹出口と、を設けたレンジフード。
【請求項５】
請求項１記載のレンジフードにおいて、前記固定フードに設けられた後方箱体の下部に設けられ前記送風機から吹き出した空気流を吹き出す吹出口を設けたレンジフード。
【請求項６】
請求項１記載のレンジフードにおいて、前記吹出口は給気流路を形成する箱体の継ぎ目の隙間であるレンジフード。
【請求項７】
請求項１記載のレンジフードにおいて、前記送風機から吹き出した空気流は電荷を帯びたイオン発生させるイオン発生装置を介して供給されるレンジフード。
【請求項８】
請求項１記載のレンジフードにおいて、前記送風機から吹き出した空気流は前記送風機の上流側又は下流側で濾過された空気であるレンジフード。
【発明の詳細な説明】
【技術分野】
【０００１】
本発明は、調理時に発生する油煙や水蒸気を屋外に排気するレンジフードに関する。
【背景技術】
【０００２】
今日キッチンを取り巻く環境としては、オール電化住宅の増加と、火を使わず、一酸化炭素など燃焼ガスの発生がないという安全性の面からＩＨクッキングヒータの普及が高まっており、また、システムキッチンの一部として、目立たない、周囲に調和したデザインが求められており、薄型のレンジフードが主流になりつつある。
【０００３】
また、従来可動フードを備えたレンジフードでは、例えば特許文献１のように可動フード先端から給気流を吹き出して調理時に発生した油煙などを排気口に誘導し、またフード前方にエアカーテンを形成して捕集を高めるものがあった。
【０００４】
【特許文献１】特開平３−１２９２３１号公報
【発明の開示】
【発明が解決しようとする課題】
【０００５】
レンジフードのトレンドに合わせるべく、本来求められる捕集性能を落とすことなく薄型に特化する場合、給気流を有し可動フードを備えるレンジフードにおいては、フードの可動機構と給気流の流路をコンパクトに収め、且つデザイン性に優れたものでなければならないという課題がある。
【０００６】
また、ＩＨクッキングヒータを使用する場合、熱の発生が少なく上昇気流がないため油煙や水蒸気は拡散してしまい、上記従来のレンジフードでは横方向への拡散を防ぐことができないという問題がある。
【０００７】
さらに、特に冬期においてＩＨクッキングヒータのグリルを使用したときの、レンジフード取り付け壁面の結露水露垂れの問題がある。
【０００８】
捕集効率を高めるはずの給気流は、キッチン室内の空気をレンジフード内を通してレンジフード下方すなわち調理中の食べ物上方から吹き出すため、衛生的な観点から不快感を与える可能性もある。
【０００９】
本発明は、上記課題の少なくとも一つを解決して、薄型で捕集性能が良いレンジフードを実現することを目的とするものである。
【課題を解決するための手段】
【００１０】
上記目的を達成するために、本発明のレンジフードは、排気のためのファンを収めたファンユニット部の下部に設けられた固定フードと、この固定フードに収納及び引き出し可能な可動フードと、前記固定フード及び可動フードの下部に前記固定フード及び可動フードと吸込口を形成する整流板と、前記固定フード及び可動フードの側方に設けられた可動機構と、を有するレンジフードにおいて、前記ファンユニット部の内部又は外部に、空気を吹き出す送風機と、前記固定フードの後方の縁部に設けられ前記送風機と連通する後方箱体と、この後方箱体と連通し前記固定フード側方の可動機構を収める固定フード側方箱体と、この固定フード側方箱体の下部に設けられ前記送風機から吹き出した空気流を吹き出す吹出口と、を設けたものである。
【００１１】
この構成によれば、新たに流路を設けずフードを薄く形成し、且つフード側部から給気流を吹き出せ油煙や水蒸気の横方向への拡散を防ぐ。
【００１２】
ここで給気流吹出口は、一般的な穴形状ではなく、箱体の継ぎ目（合わせ目）の隙間としてもよい。これによってデザイン性をも向上できる。
【００１３】
また、給気流を固定フード後部からも吹き出させ、レンジフード取り付け壁面の結露水露垂れを防止する。
【００１４】
キッチン室内の空気を吹き出す給気流は、空気清浄手段を介して吹き出すようにしてもよい。これによって、電荷を帯びたイオンで除菌や消臭をしたり、フィルターを通して濾過することで塵やホコリを除去したりして、衛生的な風とする。イオンとフィルターの両方を組み合わせるとさらに良い。
【発明の効果】
【００１５】
本発明によれば、薄型で捕集性能が良いレンジフードを提供できる。
【発明を実施するための最良の形態】
【００１６】
以下、本発明の実施例を図１〜図７により説明する。
【００１７】
レンジフードのファンユニット１０１には、ＩＨクッキングヒータで調理された際に発生する油煙や水蒸気、ガスを屋外へ排出するためのファン１０２が設けられ、このファン１０２は排気用モータ１０３で駆動される。ファンユニット１０１の前方には、目隠しのために幕板を設けてもよい。
【００１８】
ファン１０２はスクロール１０４で覆われており、スクロール１０４の前側にはベルマウス１０５が取り付けられている。ベルマウス１０５の前側には、排気流路内にフィルター１０６を設けており、油・水分を捕集できる構成となっている。
【００１９】
このフィルター１０６はスクロール１０４に設けられたＬ型支持部１０７により支持されている。そのＬ型支持部１０７を支点とし、ファンユニット１０１の上部に弾性材を用いたフィルター支持金具１０８によって所定角度の傾斜を持つようフィルター１０６が配設されている。これらの構成によって、ファン１０２，ベルマウス１０５，フィルター
１０６は、掃除がしやすいように着脱自在に取り付けられている。また、スクロール104の出口には屋外へ排出する為のダクトを接続するダクト継手１０９が取り付けられた構造となっている。
【００２０】
可動フード２０１はコの字に組まれた箱体２０２，２０３を縁部として有する。箱体
２０３上面に全体を覆う天板２０４を配置し、側方の箱体２０３の下面と同じ高さの位置に可動フード２０１の縁の内寸法よりも小さい整流板Ｂ２０５を支持部から取り外し可能なように天板２０４に取り付けた構造になっている。
【００２１】
側方の箱体２０３は、側面の一方が前方の箱体２０２と連通し、他方が開口しており、下面には給気流３０５が吹き出る吹出口２０６を有している。前方の箱体２０２も下面に給気流３０５が吹き出る吹出口２０７を有している。
【００２２】
ファンユニット１０１と接続する固定フード２０８は、可動フード２０１と同様な構成であり、箱体２０９，２１０と天板２１１と整流板Ａ２１２からなり、可動フード２０１を収納し得る大きさである。
【００２３】
整流板Ａ２１２は、支持された側方の箱体２１０に取り外し可能に取り付けられている。側方の箱体２１０は側面の一方が後方に設けられた後方箱体２０９と連通し、他方が開口し、可動フード２０１を迎え入れるため可動フード２０１の天板２０４が通る隙間213を有し、下面には給気流３０５が吹き出る吹出口２１４を有している。
【００２４】
後方箱体２０９は内部にレンジフードの運転等を制御する基板や照明等の部品を収め、下面には給気流３０５が吹き出る吹出口２１５を有している。
【００２５】
以上述べたように、本実施形態において、それぞれの箱体はそれぞれが給気流路として機能する。また、それぞれの箱体はいわゆる箱型をなしていなくてもよいことは云うまでもない。
【００２６】
天板２１１は、ファンユニット１０１を接続した際、ファンユニット１０１と連通する開口部２１６を有している。図２においては、開口部２１６が整流板Ａ２１２の背部にそのほとんどが隠れている。
【００２７】
可動フード２０１と固定フード２０８は、縁になる箱体２０２，２０３，２０９，210が無い開放側を突き合わせた向きで、それぞれのフードの左右側方に設けられた箱体203，２１０に伸縮可能な可動機構２１７を介して連結している。
【００２８】
具体的には、可動フード２０１の側方の箱体２０３を固定フード２０８の側方の箱体
２１０内に、可動フード２０１の天板２０４と整流板Ｂ２０５とを固定フード２０８の天板２１１と整流板Ａ２１２の間に入れるようにして、可動機構２１７を介して固定フード２０８に収納される。
【００２９】
ここで、可動機構２１７により可動フード２０１を前後に移動させる手段として、モータ等の電動機を設けても良い。
【００３０】
ファンユニット１０１の内部又は外部、例えば固定フード２０８の天板２１１の上には、キッチン室内の空気を吸い込んで吹き出す給気送風機３０１を設け、給気送風機３０１の吹き出し口は固定フード２０８の後方箱体２０９に連通させてある。
【００３１】
加えて、給気流３０５の流路内に電荷を帯びたイオンを発生させる装置３０２を配置し、給気送風機３０１の上流側又は下流側には空気中の塵やホコリを濾過するフィルター
３０３を備える。
【００３２】
通常、可動フード２０１は図４のように固定フード２０８内に収納されている。調理時は、図３に示すように可動フード２０１を固定フード２０８から前に迫り出し、ファンユニット１０１が駆動するとファンユニット１０１と連通している固定フード２０８の天板２１１の開口部２１６に吸い込み流が発生する。すると可動フード２０１，固定フード
２０８の天板２０４、２１１と整流板Ｂ２０５及び整流板Ａ２１２との間が負圧となり、可動フード２０１と固定フード２０８の縁の箱体２０２，２０３，２０９，２１０と整流板２０５，２１２との隙間から、勢い良く油煙や水蒸気を吸い込んで屋外に排気するのである。
【００３３】
この時、給気送風機３０１も単独又はファンユニット１０１の駆動に連動して駆動し、キッチン室内から吸い込んだ空気を連通する固定フード２０８の後方箱体２０９内に流し込む。後方箱体２０９に流れ込んだ空気は連通する箱体２１０内へ流れ、吹出口２１４よりレンジフード下方へ向かって吹き出るため、調理により発生する油煙や水蒸気の横方向への拡散を防ぐことができるのである。
【００３４】
給気流３０５の流路である後方箱体２０９内には基板や照明等の電気部品が収められている。これらは給気流３０５の流れの抵抗となるし、また給気流３０５が塵やホコリを散らして電気部品に悪影響を及ぼす恐れもあるため、後方箱体２０９内を給気流３０５の空気流路と部品収納部との間に、金属やプラスチックなどからなる板材やシートで形成された仕切部材である隔壁３０４にて上下又は左右に隔てることが望ましい。
【００３５】
また、可動フード２０１の側方の箱体２０３における固定フード２０８側は開口しているので、固定フード２０８の側方の箱体２１０における給気流路と連通する。そのため、固定フード２０８の箱体２１０から流れ込んだ給気流３０５は、可動フード２０１の側方箱体２０３の下部に設けられた吹出口２０６よりレンジフード下方へ吹き出すのである。よって、固定フード２０８からのみではなく可動フード２０１からも側方より給気流305を吹き出すので、より油煙や水蒸気の横方向への拡散を防ぐことができるのである。
【００３６】
さらに、可動フード２０１側方の箱体２０３と前方の箱体２０２とは連通しており、前方箱体２０２には給気流路が設けられているので、可動フード２０１側方まで流れてきた給気流３０５は前方箱体２０２へ流れ込み、前方箱体２０２下部に設けられた吹出口207よりレンジフード下方へ吹き出し、油煙や水蒸気の前方向への拡散も防ぐことができるのである。
【００３７】
また、固定フード２０８後方箱体２０９の下部には、給気流３０５をレンジフード取り付け壁面に沿って流れるような向きで吹出口２１５を設けている。そのため、本実施形態におけるレンジフードは、油煙や水蒸気の壁面への付着を防ぐことができる。特にＩＨクッキングヒータのグリルを使用した場合、油煙や水蒸気の出口が壁面に近いことから、油による壁面の汚れや、冬期では水蒸気による結露水の露垂れといった不具合が起こり易いが、これらを効果的に防ぐことができるのである。
【００３８】
箱体２０２，２０３，２０９，２１０の下部に設けられた給気流３０５の吹出口２０６，２０７，２１４，２１５は風を幕状に出すがため例えば長穴形状であるとか、穴を連続的に設けるとかでも良い。また、箱体２０２，２０３，２０９，２１０を形成する際にできる継ぎ目（合わせ目）７０１を利用し、風を吹き出すに適当な幅で隙間を持たせて吹出口としても良い。こうすることで、容易に一様な幅の連続的な吹出口を形成することができ、風を幕状に出し易く、長穴や連続的に開けられた穴よりデザイン的に目立たなくすることもできる。
【００３９】
また、給気流３０５の流路には電荷を帯びたイオンを発生させる装置３０２を１個又は複数個備えているので、単独で又は給気送風機３０１の駆動に合わせてイオンを発生させることで、給気流３０５に浮遊している菌やニオイ等を不活性化させることができるのである。
【００４０】
また、給気送風機３０１の上流側又は下流側に給気流３０５の空気を濾過するフィルター３０３を備えているので、空気中に浮遊する塵やホコリやニオイを除去できる。フィルター３０３は容易に交換できれば好ましい。イオンとフィルターをそれぞれ単独で又は組み合わせて使用するので、給気流３０５は常に清潔であり、調理している食べ物の上方で吹き出しても不快感を与えないのである。
【００４１】
本発明の実施例によれば、薄型でデザイン性に優れながらも油煙や水蒸気の拡散を抑えることができ、結露水の露垂れを防止でき、且つ衛生面にも配慮した可動フードを備えたレンジフードを提供できる。
【図面の簡単な説明】
【００４２】
【図１】本発明の一実施形態であるレンジフードの側面断面図。
【図２】図１のレンジフードの下面図。
【図３】図１のレンジフードの側面図。
【図４】図１のレンジフードの可動フード収納時の側面図。
【図５】図１のレンジフードの正面図。
【図６】ＩＨクッキングヒータのグリル使用時における図１のレンジフードの側面図。
【図７】図１のレンジフードのフード側方断面図。
【符号の説明】
【００４３】
１０１…ファンユニット、１０２…ファン、１０３…排気用モータ、１０４…スクロール、１０５…ベルマウス、１０６，３０３…フィルター、１０７…Ｌ型支持部、１０８…フィルター支持金具、１０９…ダクト継手、２０１…可動フード、２０２…前方箱体、
２０３…可動フード側方箱体、２０４…可動フード天板、２０５…整流板Ｂ、２０６，
２０７…可動フード前方吹出口、２０８…固定フード、２０９…後方箱体、２１０…固定フード側方箱体、２１１…固定フード天板、２１２…整流板Ａ、２１３…固定フード側方箱体隙間、２１４…固定フード側方吹出口、２１５…固定フード後方吹出口、２１６…固定フード天板開口、２１７…可動機構、３０１…給気送風機、３０２…イオン発生装置、３０４…隔壁、３０５…給気流、７０１…箱体継ぎ目（合わせ目）。
【図１】
2007192483.tif 000003
【図２】
2007192483.tif 000004
【図３】
2007192483.tif 000005
【図４】
2007192483.tif 000006
【図５】
2007192483.tif 000007
【図６】
2007192483.tif 000008
【図７】
2007192483.tif 000009